(57)【特許請求の範囲】
【請求項１】
部屋内の空気を清浄するための空気清浄システムであって、
前記部屋の天井に設置された空気清浄装置と、
前記部屋内において前記空気清浄装置とは離隔して配置され、前記部屋内における特定場所の汚染度を検出するための部屋センサとを備え、
前記空気清浄装置は、
前記部屋から取り込まれた空気の汚染度を検出するための本体センサと、
前記部屋センサ側を向く第１の送風口と、前記部屋センサ側とは異なる方向を向く第２の送風口とを有する送風機構と、
前記第１の送風口および前記第２の送風口からの相対風量を調整するための風量調整手段と、
前記本体センサにより検出された汚染度と、前記部屋センサにより検出された汚染度とに基づいて、前記風量調整手段を制御する制御手段とを含み、
前記制御手段は、前記部屋センサにより検出された汚染度の方が前記本体センサにより検出された汚染度よりも高い場合に、前記第１の送風口からの風量が前記第２の送風口からの風量よりも増加するように、前記風量調整手段を制御する、空気清浄システム。
【請求項２】
前記第１の送風口および前記第２の送風口は、それぞれ、ルーバを有しており、
前記風量調整手段は、前記第１の送風口のルーバおよび前記第２の送風口のルーバの少なくともいずれか一方の向きを変更することによって、風量を調整する、請求項１に記載の空気清浄システム。
【請求項３】
前記送風機構は、前記第１の送風口および前記第２の送風口とは異なる方向を向き、それぞれがルーバを有する第３の送風口および第４の送風口をさらに含み、
前記風量調整手段は、前記第２、第３および第４の送風口に含まれるルーバに連結された連結部材と、前記連結部材の位置を変更するための位置調整手段とを含み、
前記制御手段は、前記第２、第３および第４の送風口に含まれるルーバの向きを一度に変更するために、前記位置調整手段を駆動する、請求項２に記載の空気清浄システム。
【請求項４】
前記第１および第２の送風口は、前記天井面に沿って風を送り出す、請求項１に記載の空気清浄システム。
【請求項５】
前記送風機構は、
仕切り部材によって区画され、上下に貫通する第１および第２の開口部を形成する枠部材と、
前記枠部材の前記第１および第２の開口部に、それぞれ、送風方向を可変とするために着脱可能に嵌め入れられる送風口形成部材とを含む、請求項１に記載の空気清浄システム。
【請求項６】
部屋の天井に設置され、前記部屋内の空気を清浄するための空気清浄装置であって、
前記部屋から取り込まれた空気の汚染度を検出するための本体センサと、
前記部屋内において前記空気清浄装置とは離隔して配置された部屋センサにより検出された、前記部屋内における特定場所の汚染度を示す検出信号を受信するための受信手段と、
前記部屋センサ側を向く第１の送風口と、前記部屋センサ側とは異なる方向を向く第２の送風口とを有する送風機構と、
前記第１の送風口および前記第２の送風口からの相対風量を調整するための風量調整手段と、
前記本体センサにより検出された汚染度と、前記部屋センサにより検出された汚染度とに基づいて、前記風量調整手段を制御する制御手段とを備え、
前記制御手段は、前記部屋センサにより検出された汚染度の方が前記本体センサにより検出された汚染度よりも高い場合に、前記第１の送風口からの風量が前記第２の送風口からの風量よりも増加するように、前記風量調整手段を制御する、空気清浄装置。
【発明の詳細な説明】
【技術分野】
【０００１】
本発明は、空気清浄装置および空気清浄システムに関し、特に、部屋の天井に配置される空気清浄装置、および、このような空気清浄装置を含む空気清浄システムに関する。
【背景技術】
【０００２】
流通している空気清浄機としては、部屋の床面に置かれるタイプが多い。しかし、床置きタイプの空気清浄機の場合、家具等に気流が阻害されやすいため、吹き出し空気と吸い込み空気とが短絡し、部屋全体の空気を清浄できない場合がある。
【０００３】
そこで、特開２００６−９７９９８号公報（特許文献１）および特開２００８−４５８４０号公報（特許文献２）に示されるように、天井に設置するタイプの空気清浄機も従来から提案されている。
【先行技術文献】
【特許文献】
【０００４】
【特許文献１】特開２００６−９７９９８号公報
【特許文献２】特開２００８−４５８４０号公報
【発明の概要】
【発明が解決しようとする課題】
【０００５】
従来の天井に設置するタイプの空気清浄機は、その配置位置の近傍に、たとえば汚染の種類（ニオイ、ホコリ）ごとに１つだけ汚染度を検知するためのセンサを備えている。したがって、汚染発生源が空気清浄機の遠方にある場合、センサが空気の汚染を検知するのが遅れ、効率的な空気清浄ができない場合がある。
【０００６】
本発明は、上記のような課題を解決するためになされたものであって、その目的は、効率的に空気清浄を行うことのできる空気清浄装置および空気清浄システムを提供することである。
【課題を解決するための手段】
【０００７】
この発明のある局面に従う空気清浄システムは、部屋内の空気を清浄するための空気清浄システムであって、部屋の天井に設置された空気清浄装置と、部屋内において空気清浄装置とは離隔して配置され、部屋内の汚染度を検出するための部屋センサとを備える。空気清浄装置は、本体センサと、送風機構と、風量調整手段と、制御手段を含む。本体センサは、部屋内の汚染度を検出する。送風機構は、部屋センサ側を向く第１の送風口と、部屋センサ側とは異なる方向を向く第２の送風口とを有する。風量調整手段は、第１の送風口および第２の送風口からの相対風量を調整する。制御手段は、本体センサにより検出された汚染度と、部屋センサにより検出された汚染度とに基づいて、風量調整手段を制御する。
【０００８】
好ましくは、制御手段は、部屋センサにより検出された汚染度の方が本体センサにより検出された汚染度よりも高い場合に、第１の送風口からの風量が第２の送風口からの風量よりも増加するように、風量調整手段を制御する。
【０００９】
好ましくは、第１の送風口および第２の送風口は、それぞれ、ルーバを有している。風量調整手段は、第１の送風口のルーバおよび第２の送風口のルーバの少なくともいずれか一方の向きを変更することによって、風量を調整することが望ましい。
【００１０】
好ましくは、送風機構は、第１の送風口および第２の送風口とは異なる方向を向き、それぞれがルーバを有する第３の送風口および第４の送風口をさらに含む。風量調整手段は、第２、第３および第４の送風口に含まれるルーバに連結された連結部材と、連結部材の位置を変更するための位置調整手段とを含み、制御手段は、第２、第３および第４の送風口に含まれるルーバの向きを一度に変更するために、位置調整手段を駆動することが望ましい。
【００１１】
好ましくは、第１および第２の送風口は、天井面に沿って風を送り出す。
【００１２】
送風機構は、仕切り部材によって区画され、上下に貫通する第１および第２の開口部を形成する枠部材と、枠部材の第１および第２の開口部に、それぞれ、送風方向を可変とするために着脱可能に嵌め入れられる送風口形成部材とを含んでいてもよい。
【００１３】
この発明の他の局面に従う空気清浄装置は、部屋の天井に設置され、部屋内の空気を清浄するための空気清浄装置であって、本体センサと、受信手段と、送風機構と、風量調整手段と、制御手段とを備える。本体センサは、部屋内の汚染度を検出する。受信手段は、部屋内において空気清浄装置とは離隔して配置された部屋センサにより検出された、部屋内の汚染度を示す検出信号を受信する。送風機構は、部屋センサ側を向く第１の送風口と、部屋センサ側とは異なる方向を向く第２の送風口とを有する。風量調整手段は、第１の送風口および第２の送風口からの相対風量を調整する。制御手段は、本体センサにより検出された汚染度と、部屋センサにより検出された汚染度とに基づいて、風量調整手段を制御する。
【発明の効果】
【００１４】
本発明によれば、効率的に空気清浄を行うことができる。
【図面の簡単な説明】
【００１５】
【図１】本発明の実施の形態に係る空気清浄システムの概略構成を示す模式構成図である。
【図２】本発明の実施の形態に係る空気清浄装置の内部構造を示す模式断面図である。
【図３】図２のＩＩＩ−ＩＩＩ線に沿う送風機構の断面図である。
【図４】（Ａ），（Ｂ）は、アクチュエータの動作を示す図である。
【図５】風量調整時のルーバの向きを示す図である。
【図６】本発明の実施の形態に係る空気清浄システムの機能構成を示すブロック図である。
【図７】本発明の実施の形態における風量調整処理を示すフローチャートである。
【図８】本発明の実施の形態における送風機構の他の構造例を示す図である。
【図９】図８に示される送風機構から送風される風向の組み合わせ例を示す図である。
【図１０】図８に示される送風機構から送風される風向の組み合わせ例を示す図である。
【図１１】図１０に示す風向の送風機構において風量調整が行われた様子を概念的に示す図である。
【発明を実施するための形態】
【００１６】
本発明の実施の形態について図面を参照しながら詳細に説明する。なお、図中同一または相当部分には同一符号を付してその説明は繰返さない。
【００１７】
＜構成について＞
（概略構成）
はじめに、本発明の実施の形態に係る空気清浄システム（以下「システム」と略す）の概略構成例について説明する。
【００１８】
図１は、本実施の形態に係るシステム１の概略構成を示す模式構成図である。図２は、本実施の形態に係る空気清浄装置２の内部構造を示す模式断面図である。図１および図２を参照して、システム１は、部屋１０の天井１１に設置された空気清浄装置２と、空気清浄装置２から離隔して配置された部屋センサ８とを備えている。空気清浄装置２は、天井面の略中央に位置する照明器具１５を避けるように、部屋１０の一方の壁１２寄りに設けられている。空気清浄装置２は、本体部（筐体）２０と、本体センサ２５と、制御装置５とを備えている。
【００１９】
本体部２０は、図２に示されるように、空気清浄フィルタ２２およびファン２３を内蔵し、その下方に吸い込み口２１および吹き出し口２３ａが設けられている。吸い込み口２１から本体部２０内に吸い込まれた部屋１０内の空気は、空気清浄フィルタ２２を通過し、清浄後の空気が、ファン２３によって吹き出し口２３ａから吹き出される。本実施の形態では、吹き出し口２３ａから吹き出される清浄後の空気は、送風機構３を介して部屋１０内に送風される。送風機構３は、清浄後の空気が天井面に沿って送風されるように構成されている。送風機構３の具体的な構造例については後述する。
【００２０】
浮遊微粒子や臭気、二酸化炭素など、人体および生活活動によって生じる汚染質の多くは、人体の発熱によって上方に運ばれる。本実施の形態では、このように、吸い込み口２１が天井１１に設けられるため、汚染質を効率良く清浄化することができる。なお、空気清浄装置２は、少なくともその本体部２０が、天井１１に設けられていればよい。
【００２１】
本体センサ２５は、たとえば本体部２０内に設けられ、部屋１０内の汚染度を検出する。この場合、本体センサ２５は、浄化される前の空気の汚染度を検出できる位置に設けられているものとする。なお、本体センサ２５は、本体部２０に近い位置であれば本体部２０外の天井１１や壁１２等に設けられてもよい。
【００２２】
制御装置５は、ファン２３の基本的な制御を行うとともに、送風機構３からの風量を調整するための制御を行う。制御装置５は、たとえば本体部２０内に設けられている。制御装置５の機能構成については後述する。
【００２３】
部屋センサ８は、空気清浄装置２（の本体部２０）から遠い位置に配置され、部屋１０内の汚染度を検出する。部屋センサ８は、たとえば、部屋１０を囲む壁のうち、空気清浄装置２から最も遠い壁１３に設けられている。なお、部屋センサ８は、部屋１０内において空気清浄装置２の本体から遠い位置であれば、たとえば天井１１、床１４など他の箇所に配置されていてもよい。図１では、空気清浄装置２（本体部２０）から見て部屋センサ８が配置されている方向（以下「部屋センサ方向」という）を矢印Ａ１で示している。
【００２４】
本実施の形態では、部屋センサ８および本体センサ２５はいずれも、たとえばホコリを検知するホコリセンサである。
【００２５】
（送風機構について）
ここで、送風機構３の構造例について説明する。図３は、図２のＩＩＩ−ＩＩＩ線に沿う送風機構３の断面図である。図２および図３を参照して、送風機構３は、ファン２３の吹き出し口２３ａの下方に配置される底壁３０と、本体部２０の下面と底壁３０との間に配置された仕切り柱３０１〜３０４とを含む。底壁３０は、水平方向に延在しており、平面視においてたとえば矩形形状である。また、底壁３０は、ファン２３の吹き出し口２３ａの開口面積よりも十分に大きい面積を有している。仕切り柱３０１〜３０４は、底壁３０の四隅近傍に配置されている。これにより、隣り合う仕切り柱間に、それぞれ、４つの送風口３１〜３４が形成される。
【００２６】
このように、送風口３１〜３４は、水平方向に延在する底壁３０上に形成されるため、図１に示されるように、ファン２３から吹き出される清浄後の空気を、天井面に沿って送り出すことができる。部屋１０の天井１１には、照明器具１５以外、家具等の障害物がないため、清浄後の空気は、壁面まで運ばれる。したがって、部屋１０内の隅々まで広範囲に清浄後の空気を供給することができる。また、人体に直接送風されることがないため、居住者は、部屋１０内において快適に過ごすことができる。また、本実施の形態では、４つの送風口３１〜３４が形成されているため、部屋１０内の様々な方向に、清浄後の空気を偏りなく送風することができる。
【００２７】
本実施の形態では、４つの送風口３１〜３４のうち１つの送風口３１は、部屋センサ８側を向いている。他の送風口３２，３３，３４は、部屋センサ８とは異なる方向を向いており、送風口３３は部屋センサ方向とは反対の方向を向いている。また、送風口３１は、複数のルーバ３１０を有している。他の送風口３２，３３，３４も同様に、それぞれ、複数のルーバ３２０，３３０，３４０を有している。
【００２８】
図３において、各ルーバ３１０，３２０，３３０，３４０は、それらの開度がたとえば全開となるよう配置されている。この場合、各送風口３１〜３４からの風量はほぼ同量である。本実施の形態では、このような状態を「通常状態」という。各送風口３１〜３４からの相対風量は、所定の条件下において調整される。つまり、空気清浄装置２には、送風口３１〜３４からの相対風量を調整するための風量調整手段が設けられている。
【００２９】
（風量調整手段について）
本実施の形態では、風量調整手段は、ルーバ３２０，３３０，３４０の向きを変更することによって送風口３１〜３４からの相対風量を調整する。つまり、送風口３１のルーバ３１０の開度は固定されているのに対し、他のルーバ３２０，３３０，３４０の開度は変更可能である。可動ルーバ３２０，３３０，３４０の向きは、アクチュエータ４などの位置調整手段によって変更される。
【００３０】
アクチュエータ４の動作および可動ルーバ３２０，３３０，３４０の開度調整については、図４および図５をさらに参照して説明する。図４（Ａ），（Ｂ）は、アクチュエータ４の動作を示す図である。図５は、風量調整時のルーバ３１０，３２０，３３０，３４０の向きを示す図である。図５は、図３に対応する断面図である。
【００３１】
図３および図５に示されるように、送風口３２における複数のルーバ３２０の上流側端部は長手方向に移動可能な移動部材３２１に連結されている。複数のルーバ３２０の下流側端部の位置は固定されている。送風口３３，３４においても同様に、複数のルーバ３３０，３４０の上流側端部は、それぞれ長手方向に移動可能な移動部材３３１，３４１に連結されている。また、複数のルーバ３３０，３４０の下流側端部の位置は固定されている。
【００３２】
図３および図４（Ａ）を参照して、アクチュエータ４は、底壁３０上に配置されている。アクチュエータ４は、部屋センサ方向およびその反対方向への移動が可能な進退部４１を含んでいる。この進退部４１と移動部材３２１，３３１，３４１とは、それぞれ、棒状の連結部材４２，４３，４４によって連結されている。アクチュエータ４は、３つの連結部材４２，４３，４４の位置を変更（調整）する。連結部材４２，４４は、アクチュエータ４の進退部４１に固定されているのに対し、連結部材４３は、進退部４１に回動可能に取付けられている。つまり、部屋センサ方向の反対側に位置する連結部材４３は、回転軸４５によって進退部４１の先端部に対して回動可能に取付けられている。なお、図４には、理解の容易のために、進退部４１に固定された連結部材４２，４４の図示は省略されている。
【００３３】
図４（Ｂ）および図５に示されるように、アクチュエータ４が作動し、進退部４１が押し出されると、進退部４１の移動に伴い、各移動部材３２１，３３１，３４１は、長手方向に沿って移動する。これにより、可動ルーバ３２０，３３０，３４０の向き（開度）が一度に変更される。そうすると、これらのルーバ３２０，３３０，３４０を有する送風口３２，３３，３４からの風量が絞られるため、その分、壁センサ方向に送風する送風口３１（ルーバ３１０）からの風量が相対的に増加する。
【００３４】
このように、空気清浄装置２に、風量調整手段として、アクチュエータ４および３つの連結部材４２，４３，４４を搭載することで、簡易に、送風口３１からの風量を増加させることができる。なお、本実施の形態では、可動ルーバ３２０，３３０，３４０自体も風量調整手段に含まれるとみなしてもよい。
【００３５】
また、図５に示されるように、アクチュエータ４の両側方に位置する移動部材３２１，３４１は、部屋センサ方向とは反対の方向に移動する。そのため、送風口３１に隣接する送風口３２，３４からの風向が部屋センサ方向に近づくように、ルーバ３２０，３４０の向きが変更される。したがって、風量が減じられた風も部屋センサ方向へ向けられるため、遠方の汚染質を速やかに低減することができる。
【００３６】
（制御装置の機能構成について）
図６は、本発明の実施の形態に係るシステム１の機能構成を示すブロック図である。図６を参照して、制御装置５は、システム１の空気清浄装置２に含まれている。制御装置５は、各種演算および処理を行う制御部５１と、部屋センサ８からの検出信号を受信する受信部５２と、各種データおよびプログラムを記憶する記憶部５３と、計時動作を行う計時部５４とを含む。
【００３７】
制御部５１は、ファン２３の駆動制御を行うことによって、空気清浄装置２の基本的な処理を行う。また、制御部５１は、送風機構３からの風量を調整するための風量調整処理を行う。具体的には、制御部５１は、受信部５２からの検出信号に基づいて、部屋センサ８近辺、すなわち本体部２０から遠い場所の汚染度（以下「遠方汚染度」ともいう）を検出する。また、本体センサ２５からの検出信号に基づいて、本体部２０近辺の汚染度（以下「近方汚染度」ともいう）を検出する。なお、各センサ８，２５からの検出信号は、デジタル信号に変換された後に、制御部５１に入力されるものとする。制御部５１は、検出された遠方汚染度および近方汚染度に基づいて、アクチュエータ４を駆動制御する。制御部５１は、たとえばＣＰＵ（Central Processing Unit）などの演算処理装置により実現される。
【００３８】
記憶部５３には、後述の風量調整処理を実現するための風量調整プログラムが予め記憶されている。記憶部５３は、たとえばフラッシュメモリなどの不揮発性記憶装置により実現される。計時部５４は、制御部５１からの指示に応じて時間を計測するタイマである。なお、計時部５４は、常に日時を計測するクロックであってもよい。
【００３９】
なお、本実施の形態では、制御部５１においてファン２３の駆動制御および風量調整処理の両方を行うこととしたが、ファン２３の駆動制御を行う制御部が別途設けられていてもよい。また、本体センサ２５が本体部２０の外部に設けられる場合には、本体センサ２５からの検出信号を受信する受信部（図示せず）がさらに設けられていてもよい。
【００４０】
＜風量調整処理について＞
次に、制御装置５の制御部５１において実行される風量調整処理について説明する。
【００４１】
図７は、本発明の実施の形態における風量調整処理を示すフローチャートである。この処理は、制御部５１が記憶部５３に記憶された風量調整プログラムを読出して実行することで実現される。風量調整処理は、たとえば、空気清浄装置２の電源が投入された場合に開始される。なお、この処理の開始時には、送風機構３の各送風口３１〜３４におけるルーバ３１０，３２０，３３０，３４０は、図３に示されるように通常状態に設定されているものとする。
【００４２】
図７を参照して、はじめに、制御部５１は、受信部５２を介して、部屋センサ８より遠方汚染度“Ｃｆ”を検出する（ステップＳ１）。また、本体センサ２５より近辺汚染度“Ｃｎ”を検出する（ステップＳ２）。
【００４３】
制御部５１は、近方汚染度Ｃｎが遠方汚染度Ｃｆ以上であるか否かを判定する（ステップＳ３）。そうでない場合、すなわち、遠方汚染度Ｃｆの方が近方汚染度Ｃｎよりも高い場合（ステップＳ３にてＮＯ）、制御部５１は、ルーバ３２０，３３０，３４０の開度を調整する（ステップＳ４）。具体的には、制御部５１は、アクチュエータ４を作動させ、進退部４１を押し出す。これにより、壁センサ方向とは異なる方向のルーバ３２０，３３０，３４０の向きが変更され、その結果、壁センサ側の送風口３１からの送風量だけが相対的に増加される。
【００４４】
開度の調整が行われると、制御部５１は、調整フラグをＯＮするとともに、計時部５４に計時開始を指示する（ステップＳ５）。その後、処理はステップＳ１に戻される。
【００４５】
一方、近方汚染度Ｃｎが遠方汚染度Ｃｆ以上であると判定された場合（ステップＳ３にてＹＥＳ）、調整フラグがＯＮか否かが判断される。調整フラグがＯＮでなければ（ステップＳ６にてＮＯ）、ステップＳ１に戻る。つまり、この場合、全てのルーバ３１０，３２０，３３０，３４０の開度が一定（全開）であり通常状態のままであるため、汚染度検出処理が続行され、各送風口３１〜３４からの風量は均等に維持されている。
【００４６】
調整フラグがＯＮであれば（ステップＳ６にてＹＥＳ）、調整フラグをＯＮしてから、たとえば５分経過したか否かが判定される（ステップＳ７）。つまり、計時部５４により５分以上計時されたか否かが判定される。５分経過してなければ（ステップＳ７にてＮＯ）、ステップＳ１に戻るが、５分経過していれば（ステップＳ７にてＹＥＳ）、ルーバ３２０，３３０，３４０の開度を通常状態（全開）に戻す（ステップＳ８）。具体的には、アクチュエータ４を再び作動して、進退部４１を元の位置まで移動させる。これにより、全ての送風口３１〜３４からの送風量は、再度、同量に変更される。
【００４７】
ルーバ３２０，３３０，３４０の開度が通常状態に戻されると、制御部５１は、調整フラグをＯＦＦするとともに、計時部５４に計時停止を指示する（ステップＳ９）。その後、処理はステップＳ１に戻される。上記した一連の処理は、たとえば空気清浄装置２の電源がＯＦＦされるまで継続される。
【００４８】
空気清浄装置２に備えられた本体センサ２５のみで部屋１０内の汚染度を検出する場合、汚染発生源が空気清浄装置２の遠方にある場合、汚染を検知するのが遅れてしまうため集塵効率が低下する。このことは、特に部屋１０が大空間である場合に顕著である。これに対し、本実施の形態では、部屋センサ８が空気清浄装置２から遠い位置に配置されるため、汚染発生源の位置そのものを特定することはできないが、空気清浄装置２から遠い位置に汚染発生源があるか否かを判定することができる。また、部屋センサ８側の空気の方が本体センサ２５側よりも汚染されている場合に、部屋センサ８側に空気を多く送り込むよう風量調整が行われる。したがって、本実施の形態によれば、部屋１０が大空間であったとしても、汚染発生源側に集中的に送風することができるため、空気清浄装置２の集塵効率を高めることができる。
【００４９】
また、制御部５１は、アクチュエータ４の簡易な駆動制御を行うだけで、部屋センサ方向を向く送風口３１からの送風量を相対的に増加させることができる。したがって、制御部５１の処理負荷を抑えることができる。
【００５０】
なお、本実施の形態では、通常状態において各ルーバの開度は最大とされていたが、各送風口３１〜３４からの風量が均等であれば、通常状態において、各ルーバの開度は最大でなくてもよい。その場合、部屋センサ８側の汚染度の方が本体センサ２５側の汚染度よりも高い場合には、部屋センサ方向の送風口３１におけるルーバ３１０の開度のみを最大とするように開度を調整してもよい。つまり、風量調整手段は、ルーバ３１０の開度（向き）のみを変更するように構成されていてもよい。
【００５１】
また、部屋センサ８および本体センサ２５は、ホコリを検知するホコリセンサであることとしたが、ニオイを検知するニオイセンサであってもよい。あるいは、部屋センサ８および本体センサ２５は、各々、複数種類の汚染質を検知する複数のセンサを含んでいてもよい。この場合、たとえば、ホコリ汚染度は部屋センサ８側の方が高く、ニオイ汚染度は本体センサ２５側の方が高くなるケースも考えられる。このようなケースでは、制御部５１は、たとえば、ニオイ汚染度よりもホコリ汚染度を優先して風量を制御してもよいし、ニオイ汚染度およびホコリ汚染度の統計値（たとえば平均値、または、最大値など）を用いて風量を制御してもよい。
【００５２】
また、本実施の形態では、清浄後の空気が、送風機構３から４方向に送風されることとしたが、送風機構３は、少なくとも、部屋センサ方向を向く１つの送風口と、壁センサ方向とは異なる方向を向く１つの送風口とを有していればよい。
【００５３】
また、送風機構３の構造は、図２，３に示したような例に限定されない。送風機構３の他の構造例について以下説明する。
【００５４】
＜送風機構の他の構造例＞
図８は、本発明の実施の形態における送風機構の他の構造例を示す図である。図８を参照して、送風機構３Ａは、１つの枠部材６と、複数の送風口形成部材７とによって形成されている。なお、図８には、１つの送風口形成部材７のみが示されている。
【００５５】
枠部材６は、仕切り部材６２によって４つに区画され、上下に貫通する４つの開口部６３〜６６を形成している。枠部材６の外枠６１は、たとえば矩形状に形成されている。外枠６１の上端が、空気清浄装置２の本体部２０の下面に取り付けられる。仕切り部材６２は、外枠６１の高さよりも低い。仕切り部材６２は、十字形状であり、４つの開口部６３〜６６が同一形状となるように外枠６１内に固定されている。ファン２３の吹き出し口２３ａは、仕切り部材６２の中心部の上方に配置されていることが望ましい。なお、４つの開口部６３〜６６全てが同一形状でなくてもよく、たとえば同一形状の開口部が２つずつ形成されていてもよい。
【００５６】
送風口形成部材７は、ユニット化されており、枠部材６の各開口部６３〜６６に、着脱可能に嵌め入れられる。送風口形成部材７は、各開口部６３〜６６を囲む内枠に係合される係合枠７１と、係合枠７１に連結された板状の風向ガイド７２とを含んでいる。係合枠７１も矩形形状であり、風向ガイド７２は、係合枠７１の一辺の下端部より斜め下方に延びている。これにより、吹き出し口２３ａから吹き出される空気は、各送風口形成部材７に形成された送風口７３から、風向ガイド７２に沿って一方向に送風される。
【００５７】
また、風向ガイド７２は、少なくとも先端部分が天井面と略平行となるように曲がりが付けられている。したがって、空気清浄装置２にこのような送風機構３Ａを搭載した場合にも、清浄後の空気を天井面に沿って送風することができる。
【００５８】
本例において、送風口形成部材７は、枠部材６における４つの開口部６３〜６６内のいずれにも着脱可能に嵌め入れることができるため、居住者は、吹き出し方向を自由に選択することができる。つまり、たとえば試運転時に送風機構３Ａからの風向を確認した時点で所望の風向でなかった場合には、送風口形成部材７の取付け方向を変更することにより風向を変更することができる。したがって、部屋１０内の家具レイアウト等に応じて、居住者が自由に送風方向を設定および変更することができる。
【００５９】
図９および図１０は、送風機構３Ａから送風される風向の組み合わせ例をそれぞれ示す図である。図９を参照して、第１の例では、送風機構３Ａからの風向きは４方向である。図１０を参照して、第２の例では、送風機構３Ａからの風向きは３方向である。ただし、図９および図１０のいずれにおいても、部屋センサ方向に位置する２つの開口部６３，６４のうちの少なくとも一方（たとえば開口部６３）には、送風口７３が部屋センサ方向を向くように送風口形成部材７が設置されている。
【００６０】
送風機構３Ａの構成で風量を調整する場合には、少なくとも、部屋センサ方向を向く送風口７３からの風量、すなわち開口部６３からの風量を増加させればよい。図１１は、図１０に示す風向の送風機構３Ａにおいて風量調整が行われた様子を概念的に示す図である。
【００６１】
図１１に示されるように、第２の例においては、制御部５１によって、たとえば開口部６３および開口部６４に位置する送風口７３からの風量を、他よりも増加させるように制御される。この場合、風量調整手段として、たとえば、他の２つの送風口７３を遮断可能な遮断部（図示せず）と、遮断部の位置を調整可能な位置調整手段（たとえばアクチュエータ４）とを搭載していてもよい。これにより、本例においても、部屋センサ８に近い方のみ風量が増大されるため、集塵効率を高めることができる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１  空気清浄システム、２  空気清浄装置、３，３Ａ  送風機構、４  アクチュエータ、５  制御装置、６  枠部材、７  送風口形成部材、８  部屋センサ、１０  部屋、１１  天井、１２，１３  壁、１４  床、１５  照明器具、２０  本体部、２１  吸い込み口、２２  空気清浄フィルタ、２３  ファン、２３ａ  吹き出し口、２５  本体センサ、３０  底壁、３１〜３４，７３  送風口、４１  進退部、４２，４３，４４  連結部材、５１  制御部、５２  受信部、５３  記憶部、５４  計時部、６１  外枠、６２  仕切り部材、６３〜６６  開口部、７１  係合枠、７２  風向ガイド、３０１〜３０４  仕切り柱、３１０，３２０，３３０，３４０  ルーバ、３２１，３３１，３４１  移動部材。
【図１】
0005926223.tif 000002
【図２】
0005926223.tif 000003
【図３】
0005926223.tif 000004
【図４】
0005926223.tif 000005
【図５】
0005926223.tif 000006
【図６】
0005926223.tif 000007
【図７】
0005926223.tif 000008
【図８】
0005926223.tif 000009
【図９】
0005926223.tif 000010
【図１０】
0005926223.tif 000011
【図１１】
0005926223.tif 000012